(57)【要約】【課題】確実にスパーク現象を検知する昇圧回路を提供する。【解決手段】昇圧回路１´は、第１コンデンサ１１´と、変圧器１２´と、検出抵抗１３´と、第２コンデンサ１４´と、を備える。第２コンデンサ１４´の他端１４２´における電圧を検知することにより得られた出力波形図において、その電圧がサージ信号を含む場合には、昇圧回路１´はスパーク現象を起こしているものと判定することができる。【選択図】図１
2004064910.tif 000002
【特許請求の範囲】
【請求項１】
第１コンデンサと、
一端が前記第１コンデンサと直列に接続する昇圧側コイルを有する変圧器と、
前記昇圧側コイルの他端と直列に接続する検出抵抗と、
一端が前記変圧器と並列に接続する第２コンデンサと、
を備えることを特徴とする昇圧回路。
【請求項２】
前記第２コンデンサの他端が前記変圧器と前記検出抵抗との間に接続されていることを特徴とする請求項１に記載の昇圧回路。
【請求項３】
第１電圧を第２電圧に転換するために用いられる電圧変換器であって、
前記第２電圧を生成するために用いられ、スパーク現象を検知する検知用信号を出力する昇圧回路と、
前記昇圧回路から前記検知用信号を受信し、前記検知用信号にサージ信号が含まれていることを検知したときに、前記昇圧回路がスパーク現象を起こしたものと判定し、前記サージ信号に基づいて制御信号を出力する検出回路と、
を備えることを特徴とする電圧変換器。
【請求項４】
前記検出回路から前記制御信号を受信し、前記制御信号に基づいて運転停止信号を生成する保護回路をさらに備えることを特徴とする請求項３に記載の電圧変換器。
【請求項５】
前記昇圧回路は請求項１または２に記載の昇圧回路であることを特徴とする請求項３または４に記載の電圧変換器。
【発明の詳細な説明】
【０００１】
【発明の属する技術分野】
本発明は、昇圧回路及び電圧変換器に関し、特に、スパーク現象の発生を検知する機能を有する昇圧回路及び電圧変換器に関する。
【０００２】
【従来の技術】
光電産業の発展に伴い、発光源は日常生活の照明に利用されている他、より小さな発光源（例として、ランプ）は、各種電子製品で広く応用されており、例えば、液晶表示ディスプレイ（ＬＣＤ）では、バックライトとしての発光源が配置されている。
【０００３】
一般に、ランプを灯す際には、電圧変換器が用いられる。従来の電圧変換器は、主に、ランプが必要とする交流周波数を生成するための発振器と、ランプを起動するために十分な電圧を生成するための昇圧回路と、を備えていた。
【０００４】
図４は従来の昇圧回路の回路図である。
【０００５】
図４に示すように、従来の昇圧回路１は、回路電流を検知するための検出抵抗Ｒｓと、電圧を転換するための転換器Ｔと、電荷を蓄え、電圧を維持するためのコンデンサＣと、を備えている。
【０００６】
昇圧回路１は、コネクタ２を介して、ランプ３と接続している。
【０００７】
仮に、ランプ３とコネクタ２とが確実に接続されず、接触不良を起こしている場合、昇圧回路１全体がスパーク現象を起こすことがある。
【０００８】
また、昇圧回路１において短絡が発生し、あるいは、昇圧回路１の転換器Ｔにおける巻線が断裂する場合も、スパーク現象を起こす。さらに、他の導電体が昇圧回路１に接近しすぎる場合も、昇圧回路１がスパーク現象を起こすことがある。
【０００９】
昇圧回路１が製品に組み込まれた後にスパーク現象が生じても、通常はランプ３が正常に発光するので、製品の外観や画面の品質だけではスパーク現象の発生を容易に発見できない。このため、スパーク現象が発生しているか否かについて検査をせずにその製品を市場に流入させると、製品の寿命短縮などの不都合が発生する。さらに、スパーク現象により発生した火花が可燃ガスに触れると、大きな災害を引き起こす可能性がある。
【００１０】
【発明が解決しようとする課題】
昇圧回路１が組み込まれた製品にスパーク現象が発生したか否かは、一般には、検出抵抗を用いて判定される。すなわち、図４に示すＡ点の出力電圧波形を検知することにより、昇圧回路１が正常か否かを判定する。
【００１１】
しかしながら、この方法は、昇圧回路１がスパーク現象を起こしたか否かを正確には検知することができない。
【００１２】
図５は、昇圧回路１のＡ点における電圧出力波形の概略図である。図５に示すように、昇圧回路１がスパーク現象を起こすと、理論的には、Ａ点においてサージ信号ａ１、ａ２を測定することができるが、同図から分かるように、従来の検知方法によれば、サージ信号ａ１、ａ２は、出力波形の中に紛れてしまい、発見されにくくなる。このため、スパーク現象が発生しているにもかかわらず、スパーク現象が検出されずに、不良製品として市場に流入する恐れがある。
【００１３】
上述したように、いかにして確実にスパーク現象を起こした製品を検知して、市場流入を防ぐか、または、製品がスパーク現象を起こした際に保護機能を起動させるかは重要課題となっている。
【００１４】
本発明は、上記の課題に鑑みてなされたものであり、確実にスパーク現象を検知することが可能な昇圧回路を提供することを目的とする。
【００１５】
本発明は、確実にスパーク現象を検知する電圧変換器を提供することをもう一つの目的とする。
【００１６】
【課題を解決するための手段】
本発明は、コンデンサの高域特性を利用して、昇圧回路又は電圧変換器が生成したサージ信号を検知することにより、精確にスパーク現象が起こしたか否かを判定する。
【００１７】
具体的には、本発明は、第１コンデンサと、一端が前記第１コンデンサと直列に接続する昇圧側コイルを有する変圧器と、前記昇圧側コイルの他端と直列に接続する検出抵抗と、一端が前記変圧器と並列に接続する第２コンデンサと、を備えることを特徴とする昇圧回路を提供する。
【００１８】
前記第２コンデンサの他端が前記変圧器と前記検出抵抗との間に接続されていることが好ましい。
【００１９】
さらに、本発明は、第１電圧を第２電圧に転換するために用いられる電圧変換器であって、前記第２電圧を生成するために用いられ、スパーク現象を検知する検知用信号を出力する昇圧回路と、前記昇圧回路から前記検知用信号を受信し、前記検知用信号にサージ信号が含まれていることを検知したときに、前記昇圧回路がスパーク現象を起こしたものと判定し、前記サージ信号に基づいて制御信号を出力する検出回路と、を備えることを特徴とする電圧変換器を提供する。
【００２０】
この電圧変換器は、前記検出回路から前記制御信号を受信し、前記制御信号に基づいて運転停止信号を生成する保護回路をさらに備えることが好ましい。
【００２１】
前記昇圧回路としては、上述の本発明に係る昇圧回路を用いることができる。
【００２２】
【発明の実施の形態】
以下、図面を参照して本発明の実施の形態について説明する。
【００２３】
図１は、本発明の一実施形態に係る昇圧回路１´は、第１コンデンサ１１´と、変圧器１２´と、検出抵抗１３´と、第２コンデンサ１４´と、を備えている。
【００２４】
昇圧回路１´は、コネクタ２を介して、ランプ３と接続している。
【００２５】
第２コンデンサ１４´の一端１４１´は、変圧器１２´と検出抵抗１３´との間のＡ点に接続されている。第２コンデンサ１４´の他端１４２´は検知器４に接続されている。
【００２６】
検知器４により第２コンデンサ１４´からの出力信号、すなわち、第２コンデンサ１４´の他端１４２´における電圧を検知すると、図２に示す出力波形図が得られる。図２に示すように、第２コンデンサ１４´からの出力信号がサージ信号ｂ１（ｉｎｒｕｓｈ　ｓｉｇｎａｌ）及び／又はサージ信号ｂ２を含む場合、昇圧回路１´はスパーク現象を起こしているものと判定することができる。
【００２７】
検知器４は、例えば、オシロスコープ又はその他の検知回路から構成することができる。
【００２８】
図５と図２との比較から分かるように、昇圧回路１´は、第２コンデンサ１４´の高域特性を利用し、高周波の電圧を通し、低周波の電圧を濾過するため、検知器４によってＢ点における出力波形中のサージ信号ｂ１及び／又はサージ信号ｂ２を検知することができる。この結果として、昇圧回路１´が発生したスパーク現象を正確に検知することができる。
【００２９】
以上、本実施形態に係る昇圧回路１´について説明したが、以下、図３を参照して、本発明の実施形態に係る電圧変換器について説明する。
【００３０】
図３に示すように、本実施形態に係る電圧変換器は、上述の実施形態に係る昇圧回路１´と、検知器４と、検知器４に接続されている保護回路５と、を備えている。
【００３１】
昇圧回路１´は、比較的高い電圧を発生させるために用いられ、スパーク現象を検知する検知用信号として第２コンデンサ１４´の他端１４２´における電圧を出力する。
【００３２】
検知器４は、昇圧回路１´と電気的に接続しており、昇圧回路１´から出力した検知用信号を受信する。検知器４は、検知用信号にサージ信号（瞬間的に増大する電圧）が含まれることを検出すると、昇圧回路１´がスパーク現象を起こしたものと判定し、次いで、保護回路５に対して制御信号を出力する。
【００３３】
保護回路５は、検知器４から制御信号を受信すると、運転停止信号５Ａを生成する。保護回路５は、回路その他の電子製品（図示せず）に接続されており、保護回路５が生成した運転停止信号５Ａは電子製品に出力される。
【００３４】
このようにして、ある電子製品がスパーク現象を起こす際に、保護回路５が生成する運転停止信号５Ａにより、その電子製品の運転を停止して、危険が発生するのを防ぐ。
【００３５】
以上、本発明の実施形態を図面を参照して詳述してきたが、具体的な構成は、この実施形態に限られるものではなく、本発明の要旨を逸脱しない範囲の設計変更等があっても本発明に含まれる。
【００３６】
【発明の効果】
以上のように、本発明に係る昇圧回路及び電圧変換器によれば、スパーク現象が発生したか否かを正確に判定することができる。
【図面の簡単な説明】
【図１】本発明の一実施形態に係る昇圧回路の回路図である。
【図２】本発明の一実施形態に係る昇圧回路におけるＢ点での電圧出力波形の概略図である。
【図３】本発明の一実施形態に係る電圧変換器の回路図である。
【図４】従来の昇圧回路の回路図である。
【図５】従来の昇圧回路におけるＡ点での電圧出力波形の概略図である。
【符号の説明】
１´　昇圧回路
１１´　第１コンデンサ
１２´　変圧器
１３´　検出抵抗
１４´　第２コンデンサ
１４１´　第２コンデンサの一端
１４２´　第２コンデンサの他端
２　コネクタ
３　ランプ
４　検知器
５　保護回路
【図１】
2004064910.tif 000003
【図２】
2004064910.tif 000004
【図３】
2004064910.tif 000005
【図４】
2004064910.tif 000006
【図５】
2004064910.tif 000007